(57)【特許請求の範囲】
【請求項１】
蒸気が通過することで笛吹音を発生する笛吹装置を、ケトルの蓋体の摘子部に設けたケトルの笛吹構造であって、前記笛吹装置は、蒸気入口を有し前記蓋体に係止し得る下部材と、この下部材に連結固定可能であって，蒸気出口を有し前記摘子部に係止し得る上部材とから成り、この蓋体に係止し得る下部材に、摘子部に係止し得る前記上部材を連結固定することで、下部材が前記蓋体に係止し且つ上部材が前記摘子部に係止して、蓋体に摘子部が固定されると共にこの摘子部に前記笛吹装置が固定される構造とし、且つ前記笛吹装置は、前記下部材若しくは前記上部材に筒状の嵌挿部を設け、この嵌挿部に被嵌合する筒状の被嵌部を上部材若しくは下部材に設け、前記嵌挿部は、嵌挿先端部に前記被嵌部の内径よりも径小な挿入径小部分を有し且つこの挿入径小部分より基端側に、被嵌部の内径と同径若しくは被嵌部の内径よりも径大な圧接径大部分を有する形状に形成して、この嵌挿部を前記被嵌部に挿し込み嵌合した際、嵌挿部の圧接径大部分の外周面が被嵌部の内周面に圧接して前記下部材と前記上部材とが連結固定する構成としたことを特徴とするケトルの笛吹構造。
【請求項２】
前記笛吹装置は、前記蓋体に貫通形成した取付孔の，蓋体裏面側の孔縁に係止し得る前記下部材と、前記摘子部に貫通形成した固定孔の，摘子部上端側の孔縁若しくは固定孔内に形成した係合段部に係止し得る前記上部材とから成ることを特徴とする請求項１記載のケトルの笛吹構造。
【請求項３】
前記下部材に、前記取付孔の前記蓋体裏面側の孔縁に係止する若しくは下部材と前記上部材とを連結固定することで蓋体裏面側の孔縁に係止する下側係止縁部を設け、前記上部材に、前記固定孔内の前記係合段部に係止する若しくは下部材と前記上部材とを連結固定することで固定孔内の係合段部に係止する上側係止縁部を設けて、この下部材と上部材とを連結固定することで、前記下側係止縁部が前記取付孔の裏面側の孔縁に係止し且つ前記上側係止縁部が前記固定孔内の係合段部に係止して、蓋体に摘子部が固定されると共にこの摘子部に前記笛吹装置が固定され、この際、上部材が固定孔内に配設固定する構造としたことを特徴とする請求項２記載のケトルの笛吹構造。
【請求項４】
前記蓋体に貫通形成した取付孔に前記下部材を配設し、前記摘子部に貫通形成した固定孔に前記上部材を配設し、この下部材と上部材とを上下方向からプレスして連結固定することで、下部材が前記蓋体に係止し且つ上部材が前記摘子部に係止して、蓋体に摘子部が固定されると共にこの摘子部に前記笛吹装置が固定される構造としたことを特徴とする請求項１〜３のいずれか１項に記載のケトルの笛吹構造。
【発明の詳細な説明】
【技術分野】
【０００１】
本発明は、ケトルの笛吹構造に関するものである。
【背景技術】
【０００２】
従来のケトルの笛吹構造としては、ケトルの注筒の先端注口を閉塞する注口開閉体に蒸気が通過すると笛吹音が発生する笛吹（鳴子）部材を設けたものがある（例えば、特許文献１参照。）。
【０００３】
【特許文献１】実公平７−１８３３８号公報
【発明の開示】
【発明が解決しようとする課題】
【０００４】
本発明は、この点、笛吹音が鳴り易いケトルの蓋体に笛吹装置を設けるもので、蓋体に笛吹装置を摘子部と共に簡単に固定でき、更に笛吹装置が摘子部と一体的に設けられて外観上目立たず、体裁も良好となる画期的なケトルの笛吹構造を提供するものである。
【課題を解決するための手段】
【０００５】
添付図面を参照して本発明の要旨を説明する。
【０００６】
蒸気が通過することで笛吹音を発生する笛吹装置１を、ケトル２の蓋体３の摘子部４に設けたケトルの笛吹構造であって、前記笛吹装置１は、蒸気入口10Ａを有し前記蓋体３に係止し得る下部材10と、この下部材10に連結固定可能であって，蒸気出口11Ａを有し前記摘子部４に係止し得る上部材11とから成り、この蓋体３に係止し得る下部材10に、摘子部４に係止し得る前記上部材11を連結固定することで、下部材10が前記蓋体３に係止し且つ上部材11が前記摘子部４に係止して、蓋体３に摘子部４が固定されると共にこの摘子部４に前記笛吹装置１が固定される構造とし、且つ前記笛吹装置１は、前記下部材10若しくは前記上部材11に筒状の嵌挿部６を設け、この嵌挿部６に被嵌合する筒状の被嵌部７を上部材11若しくは下部材10に設け、前記嵌挿部６は、嵌挿先端部に前記被嵌部７の内径よりも径小な挿入径小部分６Ａを有し且つこの挿入径小部分６Ａより基端側に、被嵌部７の内径と同径若しくは被嵌部７の内径よりも径大な圧接径大部分６Ｂを有する形状に形成して、この嵌挿部６を前記被嵌部７に挿し込み嵌合した際、嵌挿部６の圧接径大部分６Ｂの外周面が被嵌部７の内周面に圧接して前記下部材10と前記上部材11とが連結固定する構成としたことを特徴とするケトルの笛吹構造に係るものである。
【０００７】
また、前記笛吹装置１は、前記蓋体３に貫通形成した取付孔３Ａの，蓋体３裏面側の孔縁に係止し得る前記下部材10と、前記摘子部４に貫通形成した固定孔４Ａの，摘子部４上端側の孔縁若しくは固定孔４Ａ内に形成した係合段部５に係止し得る前記上部材11とから成ることを特徴とする請求項１記載のケトルの笛吹構造に係るものである。
【０００８】
また、前記下部材10に、前記取付孔３Ａの前記蓋体３裏面側の孔縁に係止する若しくは下部材10と前記上部材11とを連結固定することで蓋体３裏面側の孔縁に係止する下側係止縁部10Ｂを設け、前記上部材11に、前記固定孔４Ａ内の前記係合段部５に係止する若しくは下部材10と前記上部材11とを連結固定することで固定孔４Ａ内の係合段部５に係止する上側係止縁部11Ｂを設けて、この下部材10と上部材11とを連結固定することで、前記下側係止縁部10Ｂが前記取付孔３Ａの裏面側の孔縁に係止し且つ前記上側係止縁部11Ｂが前記固定孔４Ａ内の係合段部５に係止して、蓋体３に摘子部４が固定されると共にこの摘子部４に前記笛吹装置１が固定され、この際、上部材11が固定孔４Ａ内に配設固定する構造としたことを特徴とする請求項２記載のケトルの笛吹構造に係るものである。
【０００９】
また、前記蓋体３に貫通形成した取付孔３Ａに前記下部材10を配設し、前記摘子部４に貫通形成した固定孔４Ａに前記上部材11を配設し、この下部材10と上部材11とを上下方向からプレスして連結固定することで、下部材10が前記蓋体３に係止し且つ上部材11が前記摘子部４に係止して、蓋体３に摘子部４が固定されると共にこの摘子部４に前記笛吹装置１が固定される構造としたことを特徴とする請求項１〜３のいずれか１項に記載のケトルの笛吹構造に係るものである。
【発明の効果】
【００１０】
本発明は上述のように構成したから、下部材と上部材とを連結固定するだけでケトルの蓋体に笛吹装置も摘子部も固定されるので、笛吹音が鳴り易い蓋体の摘子部位置に摘子部と共に簡単に笛吹装置を設けることができ、しかも、僅かな部品の組み付けによって簡単に蓋体に笛吹装置を固定可能となる極めて製作容易で量産性に秀れたケトルの笛吹構造となり、その上、笛吹装置は、摘子部を蓋体に組み込むための部品としても機能するため、例えば、蓋体に貫通形成した取付孔の，蓋体裏面側の孔縁に下部材を係止すると共に、摘子部に貫通形成した固定孔に上部材を係止して、下部材と上部材とを連結固定する構成とすることにより、この笛吹装置がケトルの外観上で目立たなくなる構成にでき、また、笛吹装置が摘子部内に配設して外観上で見えなくなるような構成も容易にできるので、体裁良好となるなど、極めて実用性に秀れた画期的なケトルの笛吹構造となる。
【００１１】
また、本発明においては、下部材と上部材とを簡単に連結固定することができるので、一層量産性に秀れ、更に本発明においては、下部材と上部材の嵌合連結固定構造を簡易に設計実現可能となり、しかも、単に嵌挿部と被嵌部とを押圧嵌合するだけで嵌合固定可能であるので、一層下部材と上部材の連結固定が容易に行われて量産性が向上することになるなど、一層実用性に秀れた構成のケトルの笛吹構造となる。
【００１２】
また、請求項２記載の発明においては、確実に笛吹装置を摘子部と共に蓋体に固定でき、しかも、固定孔を貫通形成した摘子部は、無垢の摘子部を用いる構成に比して部品コスト安となる上、この固定孔内（摘子部内）に笛吹装置を配する構成デザインとすることが容易に可能となるので、笛吹装置が外観上に露出しにくい体裁良好な外観デザインを簡易に設計実現可能であるなど、一層実用性に秀れた構成のケトルの笛吹構造となる。
【００１３】
また、請求項３記載の発明においては、笛吹装置を摘子部と共に蓋体に固定できる構成を簡易に設計実現可能となり、しかも、確実に固定孔内（摘子部内）に笛吹装置を配して笛吹装置が外観上に露出しない体裁良好な外観デザインに構成可能となるなど、一層実用性に秀れた構成のケトルの笛吹構造となる。
【００１４】
また、請求項４記載の発明においては、単に、下部材と上部材とを上下方向からプレスするだけの一工程で極めて容易にケトルの蓋体に笛吹装置も摘子部も固定されることになる一層実用性に秀れ、量産性に秀れた構成のケトルの笛吹構造となる。
【発明を実施するための最良の形態】
【００１５】
好適と考える本発明の実施形態（発明をどのように実施するか）を、図面に基づいて本発明の作用を示して簡単に説明する。
【００１６】
本発明の笛吹装置１は、蒸気入口10Ａを有しケトル２の蓋体３に係止し得る下部材10と、この下部材10に連結固定可能であって，蒸気出口11Ａを有しケトル２の蓋体３の摘子部４に係止し得る上部材11とから成り、この下部材10に上部材11を連結固定することで、下部材10が前記蓋体３に係止し且つ上部材11が前記摘子部４に係止して、蓋体３に摘子部４が固定されると共にこの摘子部４に前記笛吹装置１が固定される構造である。
【００１７】
具体的には、例えば、下部材10に上部材11を連結固定することで、下部材が前記蓋体３に貫通形成した取付孔３Ａの，蓋体３裏面側の孔縁に係止し、上部材11が前記摘子部４に貫通形成した固定孔４Ａの，摘子部４上端側の孔縁若しくは固定孔４Ａ内に形成した係合段部５に係止して、蓋体３に摘子部４が固定されると共にこの摘子部４に前記笛吹装置１が固定されるように笛吹装置１を構成することで、上記構造を容易に達成できる。
【００１８】
従って、本発明によれば、単に、蓋体３，摘子部４並びに笛吹装置１を構成する下部材10，上部材11の僅かな部品（例えば、四部品）の組み付けで簡単に、しかも笛吹音が鳴り易いケトル２の蓋体３の摘子部４位置に笛吹装置１を設けることができる。
【００１９】
また、例えば、前記蓋体３に貫通形成した取付孔３Ａに前記下部材10を配設し、前記摘子部４に貫通形成した固定孔４Ａに前記上部材11を配設し、この下部材10と上部材11とを上下方向からプレスして連結固定することで、下部材10が前記蓋体３に係止し且つ上部材11が前記摘子部４に係止して、蓋体３に摘子部４が固定されると共にこの摘子部４に前記笛吹装置１が固定される構造とすれば、単に、蓋体３に配した下部材10と摘子部４に配した上部材11とをプレスする一工程だけで、ケトル２の蓋体３に笛吹装置１も摘子部４も固定されるので、極めて製作容易となり、一層量産性が向上することになる。
【００２０】
また、本発明の笛吹装置１は、摘子部４を蓋体３に取付固定するための部品として機能するため、例えば、上記したように、下部材10に上部材11を連結固定することで、下部材が前記蓋体３に貫通形成した取付孔３Ａの，蓋体３裏面側の孔縁に係止し、上部材11が前記摘子部４に貫通形成した固定孔４Ａの，摘子部４上端側の孔縁若しくは固定孔４Ａ内に形成した係合段部５に係止して、蓋体３に摘子部４が固定されると共にこの摘子部４に笛吹装置１が固定される構成とすることで、笛吹装置１が外観上で目立たない体裁良好な構成デザインに設計することも容易に可能であり、更に、例えば、上部材11が摘子部４の固定孔４Ａ内の係合段部５に係止して、この際上部材11が固定孔４Ａ内に配設固定する構造とすれば、笛吹装置１が摘子部４に隠れてケトル２の外観上に表出せず、笛吹装置１自体がデザインの一要素として外観上に表出しているものとは異なった体裁良好な構成デザインを実現できる。
【００２１】
また、上記したような固定孔４Ａを貫通形成した摘子部４Ａを採用すれば、摘子部４はリング状や筒状などの中空形状のもので良いので、無垢の摘子部４を用いる構成に比して非常に部品コスト安となり、尚且つこの固定孔４Ａ（摘子部４内）に笛吹装置１を配する構成デザインとすることが容易に可能となるので、笛吹装置１が外観上に露出しにくい体裁良好な外観デザインを簡易に設計実現可能となる。
【００２２】
また、例えば、前記笛吹装置１は、前記下部材10と前記上部材11とを、いずれか一方に対して他方を挿し込み嵌合して連結固定する構成とすれば、単に、下部材10と上部材11とを挿し込み嵌合させるだけの簡単な工程により連結固定することができるので、一層製作容易となり、量産性が向上する。
【００２３】
また、特に、前記下部材10若しくは前記上部材11に筒状の嵌挿部６を設け、この嵌挿部６に被嵌合する筒状の被嵌部７を上部材11若しくは下部材10に設け、前記嵌挿部６は、嵌挿先端部に前記被嵌部７の内径よりも径小な挿入径小部分６Ａを有し且つこの挿入径小部分６Ａより基端側に、被嵌部７の内径と同径若しくは被嵌部７の内径よりも径大な圧接径大部分６Ｂを有する形状に形成して、この嵌挿部６を前記被嵌部７に挿し込み嵌合した際、嵌挿部６の圧接径大部分６Ｂの外周面が被嵌部７の内周面に圧接して前記下部材10と前記上部材11とを連結固定する構成とすれば、下部材10と上部材11の嵌合連結固定構造を簡易に設計実現可能となり、しかも、単に嵌挿部６と被嵌部７とを挿し込み押圧嵌合（例えば、上記したように、嵌挿部６と被嵌部７とを上下方向からプレス）する（かしめる）だけで連結固定可能であるので、下部材10と上部材11の連結固定が一層容易に行われて量産性が向上することになるなど、一層実用的となる。
【実施例】
【００２４】
本発明の具体的な実施例について図面に基づいて説明する。
【００２５】
本実施例は、蒸気が通過することで笛吹音を発生する笛吹装置１を、ケトル２の蓋体３の摘子部４に設けている。
【００２６】
また、本実施例の笛吹装置１は、蒸気入口10Ａを有し前記蓋体３に係止し得る下部材10と、この下部材10に連結固定可能であって，蒸気出口11Ａを有し前記摘子部４に係止し得る上部材11とから成り、この蓋体３に係止し得る下部材10に、摘子部４に係止し得る前記上部材11を連結固定することで、下部材10が前記蓋体３に係止し且つ上部材11が前記摘子部４に係止して、蓋体３に摘子部４が固定されると共にこの摘子部４に前記笛吹装置１が固定される構造としている。
【００２７】
また、前記下部材10は、前記蓋体３に貫通形成した取付孔３Ａの，蓋体３裏面側の孔縁に係止し得、前記上部材11は、前記摘子部４に貫通形成した固定孔４Ａの，摘子部４上端側の孔縁若しくは固定孔４Ａ内に形成した係合段部５に係止し得る構成としている。
【００２８】
更に詳しくは、下部材10は、一側が閉塞し他側が開放する円筒体とし、この円筒体の一側閉塞部の略中心部に小径な孔を貫通形成して、この孔を前記蒸気入口10Ａとしている。また、この下部材10の一側閉塞部の周縁部全周を鍔状に突出形成して、この突鍔部を、前記取付孔３Ａの，蓋体３裏面側の孔縁に係止し得る下側係止縁部10Ｂとしている。
【００２９】
一方、上部材11も、一側が閉塞し他側が開放する円筒体とし、この円筒体の一側閉塞部の略中心部に小径な孔を貫通形成して、この孔を前記蒸気出口11Ａとしている。また、この上部材11の一側閉塞部の周縁部全周を鍔状に突出形成して、この突鍔部を、前記固定孔４Ａの摘子部４上端側の孔縁若しくは前記係合段部５に係止し得る上側係止縁部11Ｂとしている。
【００３０】
また、本実施例では、前記下部材10と前記上部材11とを、いずれか一方に対して他方を挿し込み嵌合して連結固定する構成としている。
【００３１】
具体的には、下部材10の他側の円筒部分を嵌挿部６とし、一方、上部材11の他側の円筒部分を嵌挿部６に被嵌合し得る被嵌部７として、この嵌挿部６を被嵌部７に挿し込み嵌合できるようにしている。
【００３２】
更に詳しくは、嵌挿部６は、嵌挿先端部に前記被嵌部７の内径よりも径小な挿入径小部分６Ａを有し且つこの挿入径小部分６Ａより基端側に被嵌部７の内径よりもやや径大な圧接径大部分６Ｂを有する形状に形成して、この嵌挿部６を前記被嵌部７に嵌合した際、嵌挿部６の圧接径大部分６Ｂの外周面が被嵌部７の内周面に圧接することで前記下部材10と前記上部材11とを圧接固定可能な構成としている。
【００３３】
また、本実施例では、前記蓋体３に貫通形成した取付孔３Ａに前記下部材10を配設し、前記摘子部４に貫通形成した固定孔４Ａに前記上部材11を配設し、この下部材10と上部材11とを上下方向からプレスすることで両部材10・11を圧接係合する（かしめる）構成として、このプレスによる僅か一工程で容易に蓋体３に摘子部４が固定されると共にこの摘子部４と蓋体３とに前記笛吹装置１が固定される構造としている。
【００３４】
ここで、本実施例の前記蓋体３、並びに前記摘子部４について具体的に説明する。
【００３５】
蓋体３は、略中心部に円形の貫通孔を形成してこの貫通孔を前記取付孔３Ａとし、この取付孔３Ａは孔径を前記下部材10の嵌挿部６の外径寸法に略合致する径寸法に設定している。即ち、下部材10を嵌挿部６を上に向けて取付孔３Ａの下方から挿入すると、下側係止縁部10Ｂが取付孔３Ａの裏面側（下面側）の孔縁に係止（当接）して上方へ抜け止め状態となる構成としている。
【００３６】
摘子部４は、樹脂製の円筒体に形成し、中心の貫通孔を前記固定孔４Ａとし、更にこの固定孔４Ａは中程の段差部を境に上側を径大、下側を径小としている。また、この固定孔４Ａの上側の径大部は、前記上部材11の上側係止縁部11Ｂの外径寸法と略合致する径寸法を有するように設定し、下側の径小部は、上部材11の前記被嵌部７の外形寸法と略合致する径寸法を有するように設定している。即ち、上部材11を被嵌部７を下に向けて固定孔４Ａの上方から挿入すると、上側係止縁部11Ｂが固定孔４Ａの中程の段差部（前記係合段部５）に係止（当接）して下方へ抜け止め状態となる構成としている。尚、この固定孔４Ａを有する本実施例の摘子部４は、樹脂成形により容易に構成可能である。
【００３７】
そして、摘子部４の固定孔４Ａ内に挿入配設した上部材11の被嵌部７と、蓋体３の取付孔３Ａに挿入配設した下部材10の嵌挿部６とを圧接嵌合固定することにより、上部材11の
上側係止縁部11Ｂが前記係合段部５に押し付け係止すると共に、下部材10の下側係止縁部10Ｂが前記取付孔３Ａの裏面側の孔縁に押し付け係止して上側係止縁部11Ｂと下側係止縁部10Ｂとが摘子部４と蓋体３とを挟み込み係止し、これにより蓋体３に摘子部４が固定されると共にこの摘子部４に前記笛吹装置１が固定される構造としている。即ち、本実施例では、下部材10に上部材11を連結固定することで初めて、下部材10（の下側係止縁部10Ｂ）が蓋体３（の取付孔３Ａの裏面側の孔縁）に係止すると共に、上部材11（の上側係止縁部11Ｂ）が摘子部４（の固定孔４Ａ内の係合段部５）に係止することになる構成としている。
【００３８】
このように構成した本実施例のケトル２は、ケトル２を上方から見ない限り笛吹装置１が外観上露出せず、また上方から見ても上部材11が内方奥へ位置しているため目立たず、笛吹装置１が備えられていないかのような非常に体裁良好な外観を呈する。
【００３９】
また、本実施例では、実質的に蓋体３，摘子部４並びに笛吹装置１を構成する下部材10，上部材11とのわずか四部品の組み付けによって簡単に蓋体３に摘子部４と共に笛吹装置１を取付固定可能であるため、量産性に富む。
【００４０】
尚、本発明は、本実施例に限られるものではなく、各構成要件の具体的構成は適宜設計し得るものである。
【００４１】
本実施例では、下部材10と上部材11とをプレスにより圧接連結固定した場合を示したが、下部材10と上部材11とを螺子止めにより連結固定する構成や、その他の連結構造を採用しても良い。
【００４２】
また、本実施例では、予め下部材10に蓋体３（の取付孔３Ａの裏面側孔縁）に係止する下側係止縁部10Ｂを、上部材11に摘子部４（の固定孔４Ａ内の係合段部５）に係止する上側係止縁部11Ｂを形成してある構成とした場合を示したが、例えば、下部材10と上部材11とをプレス連結する際に、このプレスによって下側係止縁部10Ｂと上側係止縁部11Ｂとが形成されるような構成としても良いし、その他の係止構造を採用しても良い。
【図面の簡単な説明】
【００４３】
【図１】本実施例の完成状態を示す外観図である。
【図２】本実施例の要部の分解状態を示す説明拡大図である。
【図３】本実施例の要部の完成状態を示す説明拡大図である。
【符号の説明】
【００４４】
１  笛吹装置
２  ケトル
３  蓋体
３Ａ  取付孔
４  摘子部
４Ａ  固定孔
５  係合段部
６  嵌挿部
６Ａ  挿入径小部分
６Ｂ  圧接径大部分
７  被嵌部
10  下部材
10Ａ  蒸気入口
10Ｂ  下側係止縁部
11  上部材
11Ａ  蒸気出口
11Ｂ  上側係止縁部
【図１】
0004679263.tif 000002
【図２】
0004679263.tif 000003
【図３】
0004679263.tif 000004